(57)【要約】【課題】不快感を与えるような雰囲気が滞留せず、乳幼児の成育及び健康に適した雰囲気、温度、湿度に保つことができる乳母車用カバーを提供する。【解決手段】乳母車用カバー１の両側部全面に形成したメッシュ３ｄの略上半分及び略下半分が閉塞される状態に取り付けられた閉塞シート４の上部閉塞シート４ａ及び下部閉塞シート４ｂの何れか一方又は両方を開放し、乳母車用カバー１内部の空気と外部の新鮮な空気とを、メッシュ３ｄの略半分又は略全面を介して換気する。且つ、メッシュ３ｄ全面を閉塞して、例えば風雨や雪、排気ガス、湿気、悪臭等の乳幼児に不快感を与えるような雰囲気が侵入するのを阻止し、その雰囲気等による外的要因から乳幼児を保護する。【選択図】  図５
2005119585.tif 000002
【特許請求の範囲】
【請求項１】
乳母車の略全体が覆われる大きさで、透光性を有する合成樹脂で形成した乳母車用カバーであって、
上記乳母車用カバーの両側部全面を通気可能なメッシュに形成し、
上記メッシュの複数に分割された各部分に、該各部分が閉塞される大きさに形成した閉塞シートを開閉可能に取り付けた
乳母車用カバー。
【請求項２】
上記閉塞シートを、上記メッシュの上下に分割された略上半分と略下半分とに独立して取り付けた
請求項１記載の乳母車用カバー。
【請求項３】
上記メッシュの分割した部分が閉塞される状態に上記閉塞シートを固定する固定手段を、該メッシュと閉塞シートとの対向縁部に設けた
請求項１又は２記載の乳母車用カバー。
【請求項４】
上記閉塞シートを、透光性を有する材質で形成した
請求項１，２又は３記載の乳母車用カバー。
【発明の詳細な説明】
【技術分野】
【０００１】
この発明は、例えば風雨や雪、排気ガス、湿気、悪臭等の不快感を与えるような雰囲気を滞留させず、乳幼児の成育及び健康に適した環境に保つことができる乳母車用カバーに関する。
【背景技術】
【０００２】
従来、上述の乳母車用カバーとしては、例えば所定以上の温度に達したとき視認可能な色に変色する温度センサを、乳幼児が保護される空間を与えるための覆いを構成する布地に直接プリントした特許文献１の覆いを備える乳母車と、動力フィルタユニットから供給される濾過空気を、キャノピーと座席ユニットとの間の区画室に送風しながら、区画室内の暖かい空気をキャノピーのメッシュから排出する特許文献２の身体保護装置とがある。
【０００３】
しかし、特許文献１の覆いを備える乳母車は、太陽から照射される日光が覆いに直接当たると、覆い内部の温度が急上昇し、乳幼児に不快感を与えるか、脱水症状を起こすようなことがあるため、覆いの一部を手で捲り上げて、暖かい空気を外部に排出し、新鮮な空気を内部に取り込んで換気するが、覆いの一部を捲り上げた状態に保持しなければならず、換気作業に手間が掛かる。また、特許文献２の身体保護装置は、動力フィルタユニットを、ベビーバギーに着座する乳幼児の頭部近くに取り付けているので、送風時に発生する駆動音及び送風音が大きく、乳幼児の眠りを妨げるか、不快感を与えることがある。且つ、濾過空気を強制的に送風するため、息苦しさを乳幼児に与えることもある。
【０００４】
【特許文献１】実開平２-９２３７９号公報。
【特許文献２】特表平１１−５０７３０６号公報。
【発明の開示】
【発明が解決しようとする課題】
【０００５】
この発明は上記問題に鑑み、乳母車用カバーの両側部全面に形成したメッシュの各部分が閉塞される状態に取り付けられた開閉シートの一部又は全部を開閉して換気することにより、不快感を与えるような雰囲気が滞留せず、乳幼児の成育及び健康に適した雰囲気、温度、湿度に保つことができる乳母車用カバーの提供を目的とする。
【課題を解決するための手段】
【０００６】
この発明は、乳母車の略全体が覆われる大きさで、透光性を有する合成樹脂で形成した乳母車用カバーであって、上記乳母車用カバーの両側部全面を通気可能なメッシュに形成し、上記メッシュの複数に分割された各部分に、該各部分が閉塞される大きさに形成した閉塞シートを開閉可能に取り付けた乳母車用カバーであることを特徴とする。
【０００７】
上述の乳母車用カバーは、例えばカバー外部の景色を乳幼児が目視するか、乳幼児の様子をカバー外部から目視することが可能な透光性を有する合成樹脂で形成することができる。また、メッシュは、例えば雰囲気（空気を含む）の流通及び通気が許容される網目サイズのネットを両側全面に形成するか、所望する孔径サイズの孔部を両側全面に多数形成（パンチングを含む）する等して構成することができる。また、閉塞シートは、例えばメッシュの複数に分割された各部分が閉塞される状態に独立して上下及び左右に開閉可能に取り付けることができる。
【０００８】
つまり、乳母車用カバーの両側部全面に形成したメッシュの複数に分割された各部分を閉塞シートで閉塞して、例えば風雨や雪、排気ガス、湿気、悪臭等の不快感を与えるような雰囲気が侵入するのを阻止し、その雰囲気等による外的要因から乳幼児を保護する。且つ、メッシュの各部分が閉塞される状態に取り付けられた開閉シートの一部又は全部を開放して、乳母車用カバー内部の空気と外部の新鮮な空気とを、メッシュの略一部又は略全面を介して換気する。
【０００９】
実施の形態として、上記閉塞シートを、上記メッシュの上下に分割された略上半分と略下半分とに独立して取り付けることができる。また、上記メッシュの分割した部分が閉塞される状態に上記閉塞シートを固定する固定手段を、該メッシュと閉塞シートとの対向縁部に設けることができる。その固定手段は、例えば面ファスナーやスライドファスナー、ホック、ボタン、マグネット、紐、両面粘着テープ、粘着剤等を用いることができる。また、上記閉塞シートを、透光性を有する材質で形成することができる。その材質は、例えば透明又は半透明に形成されたシート状の合成樹脂を用いることができる。
【発明の効果】
【００１０】
この発明によれば、乳母車用カバーの両側部全面に形成したメッシュの各部分が閉塞される状態に取り付けられた閉塞シートの一部又は全部を開放して換気し、乳母車用カバー内部の空気をメッシュから排出し、新鮮な空気をメッシュから取り込むので、乳幼児に不快感を与えるような雰囲気が、乳母車用カバー内部及び乳幼児の周囲に滞留せず、乳幼児の成育及び健康に適した雰囲気、温度、湿度に保つことができる。且つ、メッシュ全体を閉塞シートで閉塞して、例えば風雨や雪、排気ガス、湿気、悪臭等の不快感を与えるような雰囲気が侵入するのを阻止するので、その雰囲気等による外的要因から乳幼児を保護することができる。
【発明を実施するための最良の形態】
【００１１】
この発明は、不快感を与えるような雰囲気を滞留させず、乳幼児の成育及び健康に適した雰囲気、温度に保つことができるという目的を、乳母車用カバーの両側部全面に形成したメッシュの各部分が閉塞される状態に取り付けられた開閉シートの一部又は全部を開閉して換気することで実現した。
【実施例】
【００１２】
この発明の一実施例を以下図面に基づいて詳述する。
【００１３】
図面は、１人乗り用の乳母車（ベビーカー）に乗車する乳幼児を、不快感を与えるような雰囲気から保護するときに用いられる乳母車用カバーの実施形態を示し、図１、図２、図３に於いて、この乳母車用カバー１は、走行形態を有する乳母車Ａの前部及び上部、後部が覆われる大きさに形成した中央部カバー２と、乳母車Ａの両側部が覆われる大きさに形成した左右一対の側面部カバー３，３と、側面部カバー３，３の略全面に形成した開口部３ｃ，３ｃ及びメッシュ３ｄ，３ｄが覆われる大きさに形成した左右一対の閉塞シート４，４とで構成される。且つ、中央部カバー２及び側面部カバー３，３、閉塞シート４，４を、透光性及び柔軟性を有するシート状の合成樹脂で形成している。
【００１４】
上述の中央部カバー２を、乳母車Ａの前部及び上部、後部（背部）が覆われる長さ及び横幅に形成し、側面部カバー３を、乳母車Ａの側部が覆われる大きさ及び形状に形成し、中央部カバー２の中央両側縁部と側面部カバー３，３の中央上側縁部とを一体的に接合（例えば接着又は溶着、縫着等）して、乳母車Ａの略全体（底部以外の前部及び上部、後部、両側部）が覆われる立体形状に形成している。また、中央部カバー２と側面部カバー３との対向縁部全長を、例えばスライドファスナーや面ファスナー、ホック、ボタン、マグネット等で着脱自在に固定してもよい。
【００１５】
且つ、中央部カバー２の後側縁部に連設した後側フラップ２ａを、乳母車Ａを構成する座席部Ａａ及び背凭れ部Ａｂの後面側が覆われる大きさ及び形状に形成し、中央部カバー２の前側縁部に連設した前側フラップ２ｂを、座席部Ａａ及びステップ部Ａｃの前面側が覆われる大きさ及び形状に形成している。また、乳母車Ａのステップ部Ａｃ下面に対して係止される方向に折り返して、走行時に於いて、例えば水や泥等が跳ね上がるのを防止することもできる。
【００１６】
一方、側面部カバー３，３の後側縁部に連設した後側フラップ３ａ，３ａを、背凭れ部Ａｂ後面と対向する状態に垂下された後側フラップ２ａが包み込まれる大きさ及び形状に形成している。且つ、後側フラップ３ａ，３ａの対向縁部に取り付けた紐部材５は、上述の後側フラップ２ａを後側フラップ３ａ，３ａで包み込んだときに結び止められる。また、紐部材５に代わる固定手段の他の例として、例えば図４に示すように、左右後側フラップ３ａの対向縁部を面ファスナー６で着脱可能に固定することもできる。
【００１７】
且つ、例えば蚊や蝿等の小さい虫（病害虫を含む）の侵入が阻止され、雰囲気（空気を含む）の流通及び通気が許容される網目サイズに形成したメッシュ３ｄを、側面部カバー３の略全面に形成した開口部３ｃに取り付け、乳母車用カバー１の内部と外部とを通気可能に連通している。また、メッシュ３ｄに代わる換気手段の他の例として、例えばメッシュ３ｄの網目と略同等（又は同等以下、同等以上）の大きさを有する孔部を、側面部カバー３の略全面に多数形成（パンチング加工）することもできる。
【００１８】
且つ、透光性及び柔軟性を有するシート状の合成樹脂で形成され、側面部カバー３の開口部３ｃ及びメッシュ３ｄ全体が覆われる大きさに形成した透明及び半透明の閉塞シート４を外面に取り付け、例えば風雨や雪、排気ガス、湿気、悪臭等の乳幼児に不快感を与えるような雰囲気の侵入が阻止される閉塞状態と、雰囲気の流通及び換気が許容される開放状態とに上下開閉自在に設けている。
【００１９】
且つ、例えば雨水や水滴等が中央部カバー２外面を伝ってメッシュ３ｄから侵入するのを防止する傾斜部３ｅを、開口部３ｃ上縁部に沿って後側上縁部から前側上縁部に向けて徐々に低くなる角度に傾斜すると共に、外側斜め下方に向けてせり出すように設けている。また、傾斜部３ｅを、前側上縁部から後側上縁部に向けて徐々に低くなる角度に傾斜することもできる。
【００２０】
前述の閉塞シート４，４は、左右同一の構造を有しているので、一方の閉塞シート４の開閉構造を説明する。図５乃至図８にも示すように、この開閉シート４は、開口部３ｃ及びメッシュ３ｄの略上半分が閉塞される大きさに形成した上部閉塞シート４ａと、開口部３ｃ及びメッシュ３ｄの略下半分が閉塞される大きさに形成した下部閉塞シート４ｂとの対向縁部を、上下方向に可撓可能な薄肉のヒンジ部４ｃで一体的に連結し、そのヒンジ部４ｃを、メッシュ３ｄが上下２分割される側面部カバー３の略中間部に水平固定して、上部閉塞シート４ａ及び下部閉塞シート４ｂを、メッシュ３ｄの略半分が閉塞される閉塞状態と、メッシュ３ｄの略半分が開放される開放状態とに上下開閉可能（捲上げや折曲げ、屈曲、巻回する等して開閉する方法を含む）に設けている。また、ヒンジ部４ｃに代わる連結手段の他の例として、例えば溶着及び縫着するか、連結具（蝶板を含む）で連結する等してもよい。或いは、上部閉塞シート４ａ及び下部閉塞シート４ｂを、メッシュ３ｄが上下２分割される略中間部に連結して、メッシュ３ｄの略上半分と略下半分とが閉塞される状態に独立して取り付けることもできる。
【００２１】
且つ、面ファスナー７…を、開口部３ｃ及び上部閉塞シート４ａの上側対向縁部と、開口部３ｃ及び下部閉塞シート４ｂの下側対向縁部と、上部閉塞シート４ａ及び下部閉塞シート４ｂの遊端側縁部が重ね合わされるヒンジ部４ｃとに取り付け、上部閉塞シート４ａ及び下部閉塞シート４ｂを、メッシュ３ｄの略半分が閉塞される状態に面ファスナー７…で固定する。また、開口部３ｃメッシュ３ｄの周縁部全周と、上部閉塞シート４ａ及び下部閉塞シート４ｂの周縁部全周とを、帯状の面ファスナー７で開閉可能に固定することもできる。また、面ファスナー６，７に代わる固定手段の他の例として、例えばスライドファスナーやマグネット、ホック、ボタン、紐、両面粘着テープ、粘着剤等で固定することもできる。
【００２２】
且つ、乳母車用カバー１内部（又は外部）に取り付けられた温度表示器８は、乳母車用カバー１内部の乳母車Ａに乗車する乳幼児に近い部分の温度を温度センサ（図示省略）で検知し、その検知情報に基づいて、乳母車用カバー１内部の温度変化に略対応した温度を、例えばアナログやディジタル等の数値及び文字で目視可能に随時表示する。また、温度表示器８の代わりに、例えば乳母車用カバー１内部の温度変化に略対応した明るさや色合いに変化するレベルゲージ式の表示器で表示することもできる。
【００２３】
且つ、乳母車用カバー１内部（又は外部）に取り付けられた温度報知器９は、乳母車用カバー１内部の乳母車Ａに乗車する乳幼児に近い部分の温度を温度センサ（図示省略）で検知し、その検知情報に基づいて、乳母車用カバー１内部の温度変化に略対応した温度を、例えば温度変化に略対応した大きさの音を発するブザー、温度変化に略対応したメロディーや音声を発するスピーカー、温度変化に略対応した明るさや色合いに変色するランプ等で随時報知する。
【００２４】
また、乳母車用カバー１を構成する中央部カバー２及び側面部カバー３、閉塞シート４の何れか一部又は全部を、温度変化に略対応して濃淡や色合いが変化するような素材及び材質で構成することもできる。或いは、乳母車用カバー１の一部又は全部を、例えば紫外線及び赤外線の何れか一方又は両方を遮断する機能を備えた合成樹脂で構成することもできる。
【００２５】
図示実施例は上記の如く構成するものにして、以下、乳母車Ａに乗車する乳幼児を、乳母車用カバー１により不快感を与えるような雰囲気から保護する方法を説明する。
【００２６】
先ず、乳母車用カバー１を、図１及び図２に示すように、走行形態を有する乳母車Ａの略全体が覆われる立体形状に展開した後、中央部カバー２の上面部を、座席部Ａａ上部の日除け部Ａｄ上面が覆われる状態に載置し、側面部カバー３，３を、乳母車Ａの両側部が覆われる状態に垂下する。
【００２７】
且つ、中央部カバー２の後側フラップ２ａを、上下逆Ｕ字型を有するハンドル部Ａｅの下をくぐらせて、座席部Ａａの背凭れ部Ａｂ後面が覆われる状態に垂下すると共に、側面部カバー３，３に連設した後側フラップ３ａ，３ａを、座席部Ａａの背凭れ部Ａｂ後面と対向する後側フラップ２ａが包み込まれる方向に折り返した後、後側フラップ３ａ，３ａに取り付けた紐部材５，５を互に結び止めて、乳母車用カバー１を、乳母車Ａの略全体が覆われる状態に被覆セットする。
【００２８】
且つ、乳母車用カバー１内部の温度を、温度表示器８及び温度報知器９の何れか一方又は両方で確認して、その温度に応じて、閉塞シート４，４の一部又は全部を開閉し、所望する換気量に調節する。
【００２９】
次に、閉塞シート４，４の何れか一方又は両方を全閉する場合、図１に示すように、メッシュ３ｄの略下半分を下部閉塞シート４ｂで閉塞したまま、上部閉塞シート４ａを上方に引き上げて面ファスナー７…で固定し、開口部３ｃ全面及びメッシュ３ｄ全面を閉塞すると、例えば風雨や雪、排気ガス、湿気、悪臭等の雰囲気が乳母車用カバー１内部に侵入するのを阻止して、その雰囲気等による外的要因から乳幼児を保護することができる。
【００３０】
次に、閉塞シート４，４の何れか一方又は両方を略半分開放する場合、図５に示すように、側面部カバー３のメッシュ３ｄが上下２分割される略中間部のヒンジ部４ｃを支点として、上部閉塞シート４ａ及び下部閉塞シート４ｂを下方に引き下げて面ファスナー７…で固定し、メッシュ３ｄの略下半分を閉塞し、メッシュ３ｄの略上半分を開放すると、乳母車用カバー１内部の暖かい空気を、メッシュ３ｄの略上半分から外部に排出しながら、外部の新鮮な空気をメッシュ３ｄの略上半分から内部に取り込み、快適な温度、湿度に調整することができる。
【００３１】
次に、図６に示すように、上部閉塞シート４ａ及び下部閉塞シート４ｂをヒンジ部４ｃ側に向けて略半分に折り畳んで面ファスナー７…で固定し、メッシュ３ｄを略３／４開放すると、メッシュ３ｄの略半分を開放した状態よりも換気量が制限され、所望する換気量に調節することができる。
【００３２】
次に、図７に示すように、上部閉塞シート４ａ及び下部閉塞シート４ｂを上方に引き上げて面ファスナー７…で固定し、メッシュ３ｄの略上半分を閉塞し、メッシュ３ｄの略下半分を開放すると、乳母車用カバー１内部の暖かい空気をメッシュ３ｄの略下半分から外部に排出しながら、外部の新鮮な空気をメッシュ３ｄの略下半分から内部に取り込むことができる。
【００３３】
次に、図８に示すように、閉塞シート４の上部閉塞シート４ａ及び下部閉塞シート４ｂをヒンジ部４ｃ側に向けてロール状に巻回して面ファスナー７…で固定するか、例えばバンドや紐等で巻回した状態に固定して、メッシュ３ｄ全面を開放すると、乳母車用カバー１内部の暖かい空気及び外部の新鮮な空気を、メッシュ３ｄ全面を介して短い時間で効率よく換気することができる。
【００３４】
以上のように、乳母車用カバー１の両側部全面に形成したメッシュ３ｄの略上半分及び略下半分が閉塞される状態に取り付けられた閉塞シート４の上部閉塞シート４ａ及び下部閉塞シート４ｂの何れか一方又は両方を開放し、乳母車用カバー１内部の空気と外部の新鮮な空気とを、メッシュ３ｄの略上半分及び略下半分、略全面を介して換気するので、乳幼児に不快感を与えるような雰囲気が、乳母車用カバー１内部及び乳幼児の周囲に滞留せず、成育及び健康に適した雰囲気、温度、湿度、環境に保つことができる。且つ、メッシュ３ｄ全面を上部閉塞シート４ａ及び下部閉塞シート４ｂで閉塞して、例えば風雨や雪、排気ガス、湿気、悪臭等の不快感を与えるような雰囲気が侵入するのを阻止するので、その雰囲気等による外的要因から乳幼児を保護することができる。
【００３５】
且つ、上部閉塞シート４ａ及び下部閉塞シート４ｂの何れか一方又は両方を開放して換気するので、乳母車用カバー１外部と内部との温度差が小さくなり、乳母車用カバー１の内壁面が水滴で曇ったりせず、外部及び内部を目視可能な透明度に維持することができる。
【００３６】
この発明の構成と、上述の実施例との対応において、  
この発明の固定手段は、実施例の面ファスナー７に対応するも、  
この発明は、上述の実施例の構成のみに限定されるものではない。
【００３７】
上述の閉塞シート４を構成する上部閉塞シート４ａ及び下部閉塞シート４ｂを、側面部カバー３に形成したメッシュ３ｄの略半分が閉塞される状態に独立して上下及び左右に開閉可能に取り付けることができる。また、メッシュ３ｄを、例えば３分割や４分割等の複数に分割することもできる。
【産業上の利用可能性】
【００３８】
この発明の乳母車用カバーは、例えば２人乗り用や３人乗り用の乳母車に乗車する乳幼児を、不快感を与えるような雰囲気から保護するのにも利用することができる。
【図面の簡単な説明】
【００３９】
【図１】乳母車用カバーの被覆状態及び開口部の全閉状態を示す斜視図。
【図２】乳母車用カバーを紐部材で固定した状態を示す背面図。
【図３】乳母車用カバーを立体形状に展開した状態を示す斜視図。
【図４】乳母車用カバーを面ファスナーで固定した状態を示す背面図。
【図５】開口部の略上半分を開放した状態を示す斜視図。
【図６】開口部の略３/４を開放した状態を示す斜視図。
【図７】開口部の略下半分を開放した状態を示す斜視図。
【図８】開口部の略全面を開放した状態を示す斜視図。
【符号の説明】
【００４０】
Ａ…乳母車
１…乳母車用カバー
２…中央部カバー
３…側面部カバー
３ｃ…開口部
３ｄ…メッシュ
４…閉塞シート
４ａ…上部閉塞シート
４ｂ…下部閉塞シート
４ｃ…ヒンジ部
６，７…面ファスナー
８…温度表示器
９…温度報知器
【図１】
2005119585.tif 000003
【図２】
2005119585.tif 000004
【図３】
2005119585.tif 000005
【図４】
2005119585.tif 000006
【図５】
2005119585.tif 000007
【図６】
2005119585.tif 000008
【図７】
2005119585.tif 000009
【図８】
2005119585.tif 000010